(57)【特許請求の範囲】
【請求項１】
液体不透過性の第１のシート材と、この第１のシート材に対して組み合わされる液体透過性の第２のシート材と、前記第１のシート材と第２のシート材との間に配置された吸収部材とを備える吸収性製品において、
この吸収性製品の互いに対向する縁部に設けられた第１のフラップ部と、
この第１のフラップ部より内側に配置され、吸収作用をもつ第２のフラップ部と、
この第２のフラップ部よりも内側に配置されるフラップ部であって、固定端としての基端側が外側に折り返されており、自由端側が前記第２のシート材の表面に相対的に接近する方向に付勢されて、立ち上がるようにした第３のフラップ部と
を備えることを特徴とする、吸収性製品。
【請求項２】
前記第２のフラップ部は前記第３のフラップ部の立ち上がり姿勢を支持することを特徴とする、請求項１に記載の吸収性製品。
【請求項３】
前記第２のフラップ部は、固定端としての基端側が外側に折り返されており、自由端側が外側に向かって延びるように構成されていることを特徴とする、請求項１または２にいずれかに記載の吸収性製品。
【請求項４】
前記第２のフラップ部の高さは前記第３のフラップの高さよりも低く形成されていることを特徴とする、請求項１ないし３のいずれかに記載の吸収性製品。
【請求項５】
前記第２のフラップ部は、かたくずれのしにくい程度の高剛性材料により形成されていることを特徴とする、請求項１ないし４のいずれかに記載の吸収性製品。
【発明の詳細な説明】
【０００１】
【発明の属する技術分野】
この発明は、例えば使い捨てのオシメ等に適用される尿等の液体の吸収製品の改良に関するものである。
【０００２】
【従来の技術】
このような吸収製品として、例えば従来の使い捨てオシメ（襁褓）は次のように構成されている。
一般に、このような「オシメ」は使用者が装着したときに外面となる箇所には、液体不透過性のシート材が適用され、その内側には尿等の液体を吸収するための吸収材が配置され、さらにその内側で使用者の肌と接触する箇所には、液体を透過するシート材が配置されている。
【０００３】
そして、一般にこのような「オシメ」は、使用者が装着したときに、使用者の股を包囲するように、シール手段を備えている。このシール手段により、尿等の液体が「オシメ」の外側に流れて、下着等を汚してしまうことを防止している。
【０００４】
【発明が解決しようとする課題】
ところで、このような「オシメ」では、上述のシール手段として、使用者の股に対応する領域にひとつまたは複数のフラップを形成して、このフラップにより尿等が外部に漏れることを阻止しようとするものである。
しかしながら、このようなフラップは、例えばその自由端側（自由縁部）が使用者の股を包囲するようにして、しかも使用者の肌に密着して、液体が漏れ出ることをシールしようとするものであるが、完全な効果をあげることができないことが多かった。
【０００５】
つまり、シールすべき全ての領域において、使用者の肌と密着しようとしても、起伏が多く、弾性を備えた使用者の肌に完全にフラップ先端側（自由端側）が密着することができずに、隙間から漏れてしまうことがある。
この点、フラップを所謂「立体ギャザー」として構成しても、フラップが十分な立ち姿勢を維持することができないと、上記密着状態を実現できない。
このため、特に、「オシメ」の装着時に比較的多量の排尿が一時にあると、オシメ内側の液圧もたかまり、上記わずかな隙間から、外部に漏れ出ることがある。
【０００６】
本発明は、このような問題を解決するためになされたもので、装着者の排出する液体等を外部に漏らすことなく、完全に内側にシールできる吸収性製品を提供することを目的としている。
【０００７】
【課題を解決するための手段】
上記目的は、請求項１の発明にあっては、液体不透過性の第１のシート材と、この第１のシート材に対して組み合わされる液体透過性の第２のシート材と、前記第１のシート材と第２のシート材との間に配置された吸収部材とを備える吸収性製品において、この吸収性製品の互いに対向する縁部に設けられた第１のフラップ部と、この第１のフラップ部より内側に配置され、吸収作用をもつ第２のフラップ部と、この第２のフラップ部よりも内側に配置されるフラップ部であって、固定端としての基端側が外側に折り返されており、自由端側が前記第２のシート材の表面に相対的に接近する方向に付勢されて、立ち上がるようにした第３のフラップ部とを備える、吸収性製品により、達成される。
【０００８】
請求項１の構成によれば、使用者がこの吸収性製品を着用した状態において、前記第２のシート材が使用者の尿等の液体成分を内側に透過し、この液体成分は前記吸収部材に吸収され、第１のシート材の機能により外部に透過しないようになっている。各フラップ部はこれらシート材と縁部に配置され、この縁部から上記尿等が漏れないようにシールする役割を果たす。
第３のフラップ部は、一番内側ににあって固定端である基端側が外側に折り返されており、その自由端側が立ち上がることで、使用者の尿等の汚物をその液体成分を含めて前記第２のシート材と身体の間に閉じ込める。そして、前記第２のフラップ部は、第３のフラップ部より外側で、第２のフラップ部が阻止しきれなかった液体成分を吸収しつつ、それ以上外側に漏れることを阻止する。さらに、第１のフラップ部はこれより外側にて、使用者の股部の周囲を包囲し、一番外側のシール機能を発揮する。
【０００９】
また、請求項２の発明によれば、前記第２のフラップ部は前記第３のフラップ部の立ち上がり姿勢を支持するように構成できる。
【００１０】
請求項２の構成によれば、第２のフラップ部が第３のフラップ部の立ち上がり姿勢を支持することで、この第３のフラップ部の自由端側がより完全に使用者の肌に密着するようにされる。
【００１１】
請求項３の発明によれば、前記第２のフラップ部は、固定端としての基端側が外側に折り返されており、自由端側が外側に向かって延びるように構成されている。
【００１２】
請求項４の発明によれば、前記第２のフラップ部の高さは前記第３のフラップの高さよりも低く形成されている。
【００１３】
請求項５の発明によれば、前記第２のフラップ部は、かたくずれのしにくい程度の高剛性材料により形成されている。
【００１４】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
図１は、本発明の実施形態による吸収性製品の一例としてのオシメの全体を示す概略斜視図であり、図２はこのオシメの内側を上にして示した上面図である。また、図３は図２のＡ−Ａ線断面図、図４は図２のＢ−Ｂ線断面図である。
【００１６】
図１のオシメ１０は、外側に第１のシート材１１を有し、図３に示すように、その内側には、吸収部材１６を配置し、さらに内側には、第２のシート材１２を備えている。
上記第１のシート材１１は、液体を通さないが、好ましくは水蒸気を透過させて蒸れを防止でき、ある程度可撓性を備えている材料が選択されることにより、オシメ１０の内側の内容物（汚物）が外部に漏れで無いようになっている。このため、この第１のシート材１１の材質としては、薄いプラスチックフィルム，具体的には、ポリエチレンフィルムやポリエチレンラミネート紙等が選択される。
【００１７】
第２のシート材１２は、直接使用者の肌に触れるため、肌を必要以上に損なうことなく、肌触りのよい点等を考慮して、これに適した材料が選択される。さらには、第２のシート材１２は、液体を透過させ、特に速やかに液体成分が透過されるのに適した材質の繊維として、種々の天然繊維、合成繊維、あるいはこれらの組み合わせから適宜選択される。
上記合成繊維としては、例えばポリエステルやポリプロピレンのファイバーを素材として、液体透過性をよくするように形成した繊維が好適である。
【００１８】
上記第１のシート材１１及び第２のシート材は、例えば図示のように、オシメとして使用した場合に適した大きさと形状にされて、重ねて固定される。この固定方法は、例えば周縁部の全部または一部やこれより内側の箇所において、接着したり、縫着したりして、適宜固定される。
互いに重ねた第１のシート材１１と１２は、吸収性製品としてオシメを構成する場合には、例えば図２のような形状にされる。
【００１９】
図２において、このオシメ１０は、全体としてほぼ長方形を呈しており、各長辺を構成する互いに対向する縁部１７及び１８は、その中央付近において内側に曲線状に凹部となった股ぐり部１７ａ，１８ａが設けられている。
このオシメ１０は、図２において、縦方法に沿った仮想の中心線ＣＬに関して左右対称の形状となっている。
また、オシメ１０は、上記両股ぐり部１７ａ，１８ａを挟んで縦方向（図において上下の方向）にほぼ三分される３つの領域を有しており、図において上から第１の領域２１、第２の領域２２、第３の領域２３を備えている。第１の領域２１は、使用者がオシメ１０を装着した場合の使用者の腰下部の前側の領域に対応しており、第２の領域２２は、使用者の会陰を含む股部に対応し、第３の領域２３は、尻から腰下部の後側に対応する領域である。
【００２０】
図３に示すように、上記第１のシート材１１と第２のシート材１２の間には吸収部材１６が配置される。この吸収部材１６は、第２のシート材１２を透過して浸透した液体成分を吸収して、保持する役割を果たす。したがって、液体吸収性にすぐれ、これをそのまま，あるいは半固化もしくは固化して保持する機能を備える材質のものが使用される。
このような材料としては、例えば吸水性の重合体が適しており、例えばポリアクリル酸塩系共重合体、澱粉−アクリロニトリルグラフト共重合体の加水分解物、澱粉−アクリル酸グラフト共重合体、ポリビニルアルコール−アクリル酸塩共重合体、カルボキシメチルセルロース変成物等が挙げられる。
さらに、この吸収部材１６には、殺菌剤を含有させることができ、これにより、尿中の尿素から細菌がアンモニアを生成することが防止できる。これにより、肌あれを生じる事などを有効に防止できる。このような殺菌剤としては、例えば塩化ベンザルコニウム、グリコン酸クロルヘキシジン等が挙げられる。
【００２１】
上記第１ないし第３のフラップ部は、図２に示すように、オシメ１０の互いに対向する各側縁部１７，１８に沿って設けられている。ここで、「外側」とは、図２の仮想線ＣＬを基準として、この仮想線ＣＬに関して、ＣＬに近いものを「内側」とし、これから離れる方向を「外側」とする。
【００２２】
第１のフラップ部１３は、図２に示すように、股ぐり部１７ａ，１８ａに臨んで、一定の幅で長手方向に延びるように形成されており、この股ぐり部の曲線状の凹部の内周に配置されている。
この第１のフラップ部１３は、図４に示すように、上記した第１のシート材１１の側縁部を外方に延長した部分と、後述する第３のフラップ部を形成する材料の側縁部とを重さねて、帯状に形成したものであり、その先端側は図３において水平に延びている。
【００２３】
この第１のフラップ部１３は、ある程度の剛性と可撓性を備えた材料により形成され、例えば、ポリオレフィン系不織布あるいはポリエステル系不織布と薄いプラスチックフィルムの組み合わせ，ポリエステル系不織布等とポリエチレンフィルムの組み合わせ等が適している。
このため、第１のフラップ部１３は、使用者がオシメ１０を装着した時に、その股部付近の両太股部の内周側の曲線形状に追随して、これを包囲し、かつこの太股部に当接して密着できるように、その形が保持されるようになっている。
これにより、第１のフラップ部１３は、後述する使用者の排泄物を股部近傍の太股付近においてシールする役割を果たす。
【００２４】
第２のフラップ部１４は、図３及び図４に示されているように、上記第１のフラップ部１３に隣接して、これより内側（図２の仮想線ＣＬ側）に配置されている。
この第２のフラップ部１４は、図２に示されているように長手方向に延びる帯状の部材で形成され、この実施形態では、例えばその基端側１４ａが第１のフラップ部と第３のフラップ部１５の間に固定されている。そして、この基端側１４ａは図４に示されているように、先端側に向かう途中が外側に折り返されている。さらに、図３及び図４において、第２のフラップ部１４の高さ，すなわち基端部１４ａから自由端（先端）１４ｂまでの長さは、後述する第３のフラップ部１５よりも低く（短く）なるように設定されている。この距離は例えば５ｍｍから３５ｍｍ程度が好ましい。これにより、第３のフラップ部１５を越えて出てきた液体等を有効に吸収し、かつ第３のフラップ部１５の立ち上がり姿勢を支持する機能を発揮する。
【００２５】
この第２のフラップ部１４は、特に吸水性に優れた材料により形成されており、化学繊維に親水処理を施した不織布や、レーヨン系不織布，あるいはパルプ系不織布等が適している。
これにより、この第２のフラップ部１４は、これより内側の後述す宇第３のフラップ部１５を越えて、使用者の排泄物もしくはその液体成分が外側に漏れだしたときに、これを吸収する機能を果たす。
さらに、好ましくは、第２のフラップ部１４は、後述する第３のフラップ部１５の外側にあって、後述するように、第３のフラップ部１５が起立した姿勢（先端側が図３及び図４において上方に向かう姿勢）を保持できるように支持する機能を備えている。このため、第２のフラップ部１４は、ある程度形状を保持するための剛性を備えた材料、または長手方向に弾性を備えた材料で形成することが好ましく、例えばポリオレフィン系不織布、ポリエステル系不織布、さらに好ましくは親水機能をもった弾性フォームあるいは太デニール（好ましくは２ないし３デニール）のエアスルー製法の不織布等により形成されている。
【００２６】
第３のフラップ部１５は、図２に示すように、オシメ１０の各側縁部の内側において、吸収部材の側縁に沿って長手方向に延びる帯状の形態を備えていて、第２のフラップ部１４の内側に隣接して配置されている。この第３のフラップ部１５は、液体不透過性の材料で形成され、好ましくは、後述するように起立姿勢を保持するのに適した材料として、後述するように伸縮部材の力を受けて、これに追随して起立姿勢を保持するためにある程度可撓性を有する材料が選択される。このような材料としては、例えばポリオレフィン系不織布、ポリエステル系不織布、さらに好ましくは（撥水機能を有する）弾性フォーム，あるいは太デニールのエアスルー製法の不織布，スパンボンド製法の不織布等が適している。
【００２７】
また、フラップ部の素材自体を伸縮性材料により形成することにより、後述する起立姿勢を保持するようにしてもよく、この場合は、ウレタン等の伸縮性をもた素材を含有する不織布等の材料により形成することが好ましい。
【００２８】
この実施形態では、第３のフラップ部１５は、上記第１のフラップ部１３の一部と同じ材料にて形成されている。
第３のフラップ部１５は、図３及び図４に示すように、その基端側１５ａは、オシメ１０の側縁部に沿って図２の縦方向のいずれに位置においても、第２のシート材１２の側縁部に固定されており、吸収部材１６をシールしている。
【００２９】
これに対して、第３のフラップ部１５の先端側１５ｂは、図２の第１及び第３の領域２１，２３付近では、図３に示すように、外側に折り返されて第１のフラップ１３側上面に固定されている。これにより、この第３のフラップ部１５の先端側１５ｂは、図２の第２領域２２付近では、図４に示すように、自由端となって外向きに角度θが直角より大きくなるように傾斜しつつ上方に向かうように起立することになる。そして、このように図４において、先端側１５ｂが外向きに（図において右側に向かって図２の仮想線ＣＬから離れる方向に向かって徐々に上昇するように）立ち上がる起立姿勢を保持する点がこの第３のフラップ部１５のひとつの特徴となっている。
【００３０】
このような起立姿勢を保持するひとつの手段として、第３のフラップ部１５の先端側は、折り返して固定されることでループ部１５ｃとされており、このループ部１５ｃ内には、姿勢保持手段２５が適用されている。
この姿勢保持手段２５は、第３のフラップ部１５の先端側に対して、図２における縦方向に沿った長さを短縮する付勢力をを与える機能を果たすものである。このため、この実施形態では、上記姿勢保持手段２５は、上記ループ部１５ｃ内に挿通される収縮性をそなえたゴムの紐部材が用いられている。尚、第３のフラップ部１５の先端側１５ｂにはループ部１５ｃを形成することなく、図示とは形態の異なる姿勢保持手段を取付けてもよい。
さらに、第３のフラップ部１５の高さ，即ち基端部１５ａから先端部１５ｂまでの距離は、少なくとも上記第２のフラップ部１４のそれより長く形成されており、このましくは、１０ｍｍから４０ｍｍ程度に設定されている。
【００３１】
本実施形態は以上のように構成されており、次にその作用を説明する。
この実施形態のオシメ１０は、図２にて説明したオシメ１０の各領域２１、２２，２３をそれぞれ使用者の身体の各対応部位に合わせて着用する。
このような着用状態において、使用者が尿や糞、血液等の排泄物を排出した状態では、次のようになる。
【００３２】
先ず、排泄物のうち尿その他の液体成分は、第２のシート材１２を透過して、吸収部材１６に速やかに吸収されて保持される。
この時、例えば排泄の瞬間には、排泄された液体成分の全量が第２のシート材１２を透過して吸収部材１６に瞬時に吸収されるものではないので、これらの排泄物は、身体と第２のシート材１２の間に介在することになる。
【００３３】
これらの排泄物は、オシメ１０と身体との隙間である側縁部をまわって外部に漏れでようとするが、この排泄物は先ず第３のフラップ部１５に阻止されることになる。
具体的には、第３のフラップ部１５は、その先端側１５ｂは、上述のように起立していることから、この先端側１５ｂが使用者の肌の表面ＳＦに当接して、密着し、この肌表面ＳＦと第３のフラップ部１５の内側側面と、第２のシート材１２とにより画成される空間に上記排泄物が閉じ込められることになる。
【００３４】
ここで、姿勢保持手段２５の作用により、第３のフラップ部１５は図４にて説明した起立状態を保持するので、先端側１５ｂの肌に対する密着状態が維持される。特に、第３のフラップ部１５は、上述したように外向きに（図において右側に向かって図２の仮想線ＣＬから離れる方向に徐々に上昇するように）立ち上がる起立姿勢を保持しているので、次のような効果がある。
【００３５】
すなわち、使用者がおしめ１０を装着した状態で動くと、この動きに対応して肌の表面ＳＦと第２のシート材１２の表面の相対距離が変化する。この距離が短くなった時には、先端側１５Ｂを下方向に押しつける力として働くが、第３のフラップ部１５はその基端側１５ａが予め直角よりおおきな角度θだけ外側に折り返されていることから、この第３のフラップ部１５がその剛性に基づいて戻ろうとする力が強く働く。この力は矢印Ｃの方向に，すなわち第３のフラップ部１５の先端側１５ｂが第２のシート材１２の表面に対して相対的に接近しようとする方向に動くように作用する。これにより、先端側１５ｂは、常に使用者の肌の表面ＳＦに密着することになって、上記排泄物を阻止することができる。
【００３６】
さらに、この第３のフラップ部１５の外側には、第２のフラップ部１４が配置されており、この第２のフラップ部１４も上述したように、基端側１４ａから先端側１４ｂに向かう途中が外側に折り返されて形成されている。また、第２のフラップ１４は、第３のフラップ１５よりも短く形成されていることから、上述の矢印Ｃ方向に力を第３のフラップ１５の応力が集中する基端側１５ａよりに働かせることになる。これによって、第２のフラップ１４は、第３のフラップ１５が第２のシート材１２の表面に対して相対的に接近しようとする方向に動こうとする力を強めるように付勢力を付与して、第３のフラップ部１５の起立姿勢を支持する。
【００３７】
さらに、また第２のフラップ部１４は、第３のフラップ部１５の外側にあって、上述のように閉じ込められた排泄物が、第３のフラップ１５から外側に漏れだしたときには、その吸水性により、液体成分を吸収する作用を発揮する。これにより、排泄物をより完全にシールすることが可能となる。
【００３８】
また、第１のフラップ部１３は使用者の太股の内側周囲を包囲するように密着し、排泄物の液体成分が極端に多い場合等に、万一上記第２のフラップ部で吸収しきれなった場合に、シールして外部に漏れ出ることを完全に防止するものである。
【００３９】
図５ないし図９は、各フラップの構成の変形例をそれぞれ概略的に示す説明図である。
図５においては、第１のフラップ部１３と第２のフラップ部１４と第３のフラップ部１５とは、全て別部材で形成されている。そして、第２のフラップ部１４は、その基端側の端部がｆ３の箇所で第１のフラップ部１３の表面に固定され、基端側の途中はｆ２の箇所で第３のフラップ部１５の基端側に固定されて、外側に折り返され自由端側は外側に向かって延びている。
また、第３のフラップ部１５はその基端側の途中が第２のシート材１２の表面側に固定されて、外側に折り返され自由端側は外側に向かって延びている。
【００４０】
図６は第２の変形例を示している。
図６に示した構成においても、第１のフラップ部１３と第２のフラップ部１４と第３のフラップ部１５とは、全て別部材で形成されている。第１のフラップ部１３と第２のフラップ部１４の基端部とは切り離されていて、隙間Ｓが形成されている。
第２のフラップ部１４の基端側の途中はｆ２の箇所で第３のフラップ部１５の基端側に固定されて、外側に折り返され自由端側は外側に向かって延びている。
また、第３のフラップ部１５はその基端側の途中が第２のシート材１２の表面側に固定されて、外側に折り返され自由端側は外側に向かって延びている。
【００４１】
図７は第３の変形例を示している。
この場合、第１のフラップ部１３と第２のフラップ部１４とは同一の部材で形成されている。第２のフラップ部１４の基端側の途中はｆ２の箇所で第３のフラップ部１５の基端側に固定されて、外側に折り返され自由端側は外側に向かって延びている。
また、第３のフラップ部１５はその基端側の途中が第２のシート材１２の表面側に固定されて、外側に折り返され自由端側は外側に向かって延びている。
【００４２】
図８は第４の変形例を示している。
この場合、第２のシート材１２と第１のフラップ部１３とが同一の部材により一体に形成されている。
第２のフラップ部１４と第３のフラップ部１５とは別部材で構成されており、第２のフラップ部１４の基端側はｆ２の箇所で第２のシート材１２の表面に固定されて、外側に折り返され、自由端側は外側に向かって延びている。
また、第３のフラップ部１５はその基端側がｆ３の箇所で第２のシート材１２の表面に固定されて、外側に折り返され、自由端側は外側に向かって延びている。
【００４３】
図９は第５の変形例を示している。
この場合、第１のフラップ部１３と第３のフラップ部１５とは同じ部材により一体に構成されており、第２のフラップ部１４とは別部材で構成されている。第２のフラップ部１４の基端側はｆ２の箇所で第３のフラップ部１５の基端側に固定されて、外側に折り返され自由端側は外側に向かって延びている。
第３のフラップ部１５はその基端側がｆ３の箇所で第２のシート材１２の表面に固定されて、外側に折り返され、自由端側は外側に向かって延びている。
【００４４】
以上のように各フラップは種々の構成をとることができるが、これらいずれの構成としても、図３及び図４に示した実施形態と同様の作用効果を発揮することができる。
【００４５】
本発明は上述の実施形態に限定されない。
上述の実施形態の第１及び第２のシート材と吸収部材ならびに各フラップ部を適用して、オシメ以外のこれより小さな吸収性製品，例えば女性用生理用品や、失禁用の補助吸収性製品等種々の製品に応用することができる。
また、図１のオシメに使用者が装着する上で便利な固定用のテープ等の有意な構成を付加して、所謂パンツタイプとした製品も本発明の範囲である。
さらにまた、例えば図２のオシメ１０において、領域２１と２３を長さ方向にやや延長し、この領域２１と２３の両側縁どうしを重ねて固定し、はくことができる製品としたものも本発明の範囲である。
【００４６】
【発明の効果】
以上述べたように、本発明によれば、装着者の排出する液体等を外部に漏らすことなく、完全に内側にシールできる吸収性製品を提供することができる。
【図面の簡単な説明】
【図１】本発明による吸収性製品の実施形態にとしてのオシメの概略斜視図である。
【図２】図１のオシメの上面図である。
【図３】図２のＡ−Ａ線概略断面図である。
【図４】図２のＢ−Ｂ線概略断面図である。
【図５】図１のオシメの各フラップ部の第１の変形例を示す概略説明図である。
【図６】図１のオシメの各フラップ部の第２の変形例を示す概略説明図である。
【図７】図１のオシメの各フラップ部の第３の変形例を示す概略説明図である。
【図８】図１のオシメの各フラップ部の第４の変形例を示す概略説明図である。
【図９】図１のオシメの各フラップ部の第５の変形例を示す概略説明図である。
【符号の説明】
１０・・・オシメ、１１・・・第１のシート材、１２・・・第２のシート材、１３・・・第１のフラップ部、１４・・・第２のフラップ部、１５・・・第３のフラップ部、１６・・・吸収部材、１７，１８・・・縁部。
【図１】
0003662102.tif 000002
【図２】
0003662102.tif 000003
【図３】
0003662102.tif 000004
【図４】
0003662102.tif 000005
【図５】
0003662102.tif 000006
【図６】
0003662102.tif 000007
【図７】
0003662102.tif 000008
【図８】
0003662102.tif 000009
【図９】
0003662102.tif 000010